(57)【要約】【課題】検出手段の固体差に関係なく、血液回路を体外循環する実血流量を短時間で且つ精度よく求めることができる血液浄化装置及びその血液流量演算方法を提供する。【解決手段】動脈側血液回路１ａと静脈側血液回路１ｂとの間に接続されたダイアライザ２と、ダイアライザ２を通過する患者の血液に対して除水する除水ポンプ１０と、検出手段５とを具備した血液浄化装置において、検出手段５は、静脈側血液回路１ｂに配設された単一のヘマトクリットセンサから成るとともに、除水ポンプ１０による除水速度を変化させる除水速度制御手段１６と、除水速度制御手段１６による除水速度の変化前後において当該検出手段５で検出されたそれぞれのヘマトクリット値をパラメータとした所定演算式により血液回路１を流れる血液の流量（真の血液流量である実血流量）を演算する演算手段１５とを備えたものである。【選択図】図１
2010131146.tif 000002
【特許請求の範囲】
【請求項１】
患者の血液を体外循環させるための動脈側血液回路及び静脈側血液回路から成る血液回路と、
前記動脈側血液回路と静脈側血液回路との間に接続され、当該血液回路を流れる血液を浄化する血液浄化手段と、
該血液浄化手段を通過する患者の血液に対して除水する除水手段と、
前記血液回路で体外循環する患者の血液の濃度指標を検出し得る検出手段と、
を具備した血液浄化装置において、
前記検出手段は、前記静脈側血液回路に配設された単一のセンサから成るとともに、前記除水手段による除水速度を変化させる除水速度制御手段と、該除水速度制御手段による除水速度の変化前後において当該検出手段で検出されたそれぞれの血液の濃度指標をパラメータとした所定演算式により前記血液回路を流れる血液の流量を演算する演算手段とを備えたことを特徴とする血液浄化装置。
【請求項２】
前記検出手段で検出される血液の濃度指標は、患者の血液におけるヘマトクリット値であることを特徴とする請求項１記載の血液浄化装置。
【請求項３】
前記除水手段による除水速度変化前の除水速度をＹ１及び前記検出手段で検出されるヘマトクリット値をＨｔＡ、当該除水手段による除水速度変化後の除水速度をＹ２及び前記検出手段で検出されるヘマトクリット値をＨｔＢとした場合、前記演算手段は、以下の関係式に基づき血液の流量Ｘを演算することを特徴とする請求項２記載の血液浄化装置。
（ＨｔＡ）／１００×（Ｘ−Ｙ１）＝（ＨｔＢ）／１００×（Ｘ−Ｙ２）
【請求項４】
患者の血液を体外循環させるための動脈側血液回路及び静脈側血液回路から成る血液回路と、
前記動脈側血液回路と静脈側血液回路との間に接続され、当該血液回路を流れる血液を浄化する血液浄化手段と、
該血液浄化手段を通過する患者の血液に対して除水する除水手段と、
前記血液回路で体外循環する患者の血液の濃度指標を検出し得る検出手段と、
を具備した血液浄化装置の血液流量演算方法において、
前記検出手段は、前記静脈側血液回路に配設された単一のセンサから成るとともに、前記除水手段による除水速度を変化させ、その除水速度の変化前後において当該検出手段で検出されたそれぞれの血液の濃度指標をパラメータとした所定演算式により前記血液回路を流れる血液の流量を演算することを特徴とする血液浄化装置の血液流量演算方法。
【請求項５】
前記検出手段で検出される血液の濃度指標は、患者の血液におけるヘマトクリット値であることを特徴とする請求項４記載の血液浄化装置の血液流量演算方法。
【請求項６】
前記除水手段による除水速度変化前の除水速度をＹ１及び前記検出手段で検出されるヘマトクリット値をＨｔＡ、当該除水手段による除水速度変化後の除水速度をＹ２及び前記検出手段で検出されるヘマトクリット値をＨｔＢとした場合、以下の関係式に基づき血液の流量Ｘを演算することを特徴とする請求項５記載の血液浄化装置の血液流量演算方法。
（ＨｔＡ）／１００×（Ｘ−Ｙ１）＝（ＨｔＢ）／１００×（Ｘ−Ｙ２）
【発明の詳細な説明】
【技術分野】
【０００１】
本発明は、患者の血液を体外循環させつつ浄化する血液浄化装置及びその血液流量演算方法に関するものである。
【背景技術】
【０００２】
一般に、血液浄化療法、例えば透析治療においては、患者の血液を体外循環させるべく可撓性チューブから成る血液回路が使用されている。この血液回路は、患者から血液を採取する動脈側穿刺針が先端に取り付けられた動脈側血液回路と、患者に血液を戻す静脈側穿刺針が先端に取り付けられた静脈側血液回路とから主に成り、これら動脈側血液回路と静脈側血液回路との間にダイアライザを介在させ、血液ポンプを駆動させることにより体外循環する血液の浄化を行っている。
【０００３】
かかるダイアライザは、内部に複数の中空糸が配設されており、それぞれの中空糸の内部を血液が通過するとともに、その外側（中空糸の外周面と筐体の内周面との間）に透析液を流し得る構成とされている。中空糸は、その壁面に微小な孔（ポア）が形成されて血液浄化膜を成しており、中空糸内部を通過する血液の老廃物等が血液浄化膜を透過して透析液内に排出されるとともに、老廃物が排出されて浄化された血液が患者の体内に戻るようになっている。また、透析装置内には、患者の血液から水分を取り除くための除水ポンプが配設されており、透析治療時にダイアライザを通過する血液に対して除水が行われるように構成されている。
【０００４】
ところで、上記の如き透析装置で適用される血液ポンプは、通常、血液回路をしごいて一定の血液を患者から採取及び返血する所謂しごき型ポンプで構成されており、当該血液回路を体外循環する血液流量は、血液ポンプの１回転当たりの吐出量と時間当たりの回転数とによって求められる。
【０００５】
しかしながら、血液ポンプの流量は、所定条件（例えば、ヘマトクリット値が３０％程度の牛血を用いた場合等）での血液ポンプの１回転当たりの吐出量と時間当たりの回転数の関係で設定されているため、実際に体外循環される血液の性質とは必ずしも一致せず、設定流量と実血流量（血液回路を流れる実際の血流量）とにずれが生じてしまうことがあった。また、患者のシャント（外科手術により動脈と静脈とを連結させた部位）部位から脱血する際、穿刺針の穿刺不良や穿刺針近傍の血液回路を構成するチューブの折れ曲がり、或いは血管の狭窄により脱血不良が生じると、血液ポンプ上流側が陰圧となってしまい、その吐出量が規定値より少なくなることがあり、設定流量と実血流量とにずれが生じてしまうことがあった。
【０００６】
上記の如く設定流量と実血流量とにずれが生じてしまうと、所定の透析効率が得られないことから、所望の透析効率を得るため実血流量を精度よく検出するものが望まれているのが実情である。かかる事情により、従来より、血液ポンプの回転数とは異なるパラメータを用いて血液回路を流れる実際の血流量（実血流量）を求めることが種々提案されるに至っている。例えば、特許文献１で示すように、ダイアライザ入口圧（例えば、動脈側血液回路のドリップチャンバ内における液圧）の振幅に基づいて脱血圧（動脈側血液回路における動脈側穿刺針近傍の液圧）を求めるとともに、予め実験的に求めておいた当該脱血圧と実血流量との関係を示す特性曲線から血液回路を体外循環する血液の流量（実血流量）を求めるものが提案されている。
【０００７】
しかしながら、この場合、実血流量を求めるためには、予め実験的に求めておく特性関係（具体的には、ダイアライザ入口圧と脱血圧との関係、及び脱血圧と実血流量との関係）が２重に必要であり、患者個々の個人差に基づく測定誤差を生じ易いという問題があった。また、実血流量を求める毎にドリップチャンバ（動脈側ドリップチャンバ）の液面高さを調整する必要があり、極めて手間がかかってしまい作業性が悪化してしまうという不具合もあった。
【０００８】
かかる問題を解消すべく、例えば非特許文献１で開示されているように、ダイアライザの上流側（動脈側血液回路の何れかの部位）と下流側（静脈側血液回路の何れかの部位）とにそれぞれ血液の濃度指標としてのヘマトクリット値を検出し得るヘマトクリットセンサ（検出手段）を配設しておき、各ヘマトクリットセンサにて検出されたヘマトクリット値に基づいて真の血液流量（実血流量）を演算することが提案されている。
【特許文献１】特開２００６−３０４９１７号公報
【非特許文献１】透析会誌４１（２）：第１２７頁〜第１３１頁、２００８  新しい実血流量測定法（ＣＲＩＴ−２点法）の考案  東京女子医科大学臨床工学部  江口圭、小田順一、角田飛鳥、金野好恵、山田祐史、金子岩和、峰島三千男  著
【発明の開示】
【発明が解決しようとする課題】
【０００９】
しかしながら、上記従来の血液浄化装置においては、ヘマトクリットセンサがダイアライザの上流側と下流側との２つ必要であるため、それぞれのヘマトクリットセンサの固体差（性能誤差）により精度よく真の血液流量（実血流量）を求めることができない虞があった。然るに、２つのヘマトクリットセンサの固体差をなくすためにキャリブレーション時間が必要となるとともに、そのキャリブレーションのため実血流量を求めるための作業が煩わしくなってしまうという問題があった。
【００１０】
本発明は、このような事情に鑑みてなされたもので、検出手段の固体差に関係なく、血液回路を体外循環する実血流量を短時間で且つ精度よく求めることができる血液浄化装置及びその血液流量演算方法を提供することにある。
【課題を解決するための手段】
【００１１】
請求項１記載の発明は、患者の血液を体外循環させるための動脈側血液回路及び静脈側血液回路から成る血液回路と、前記動脈側血液回路と静脈側血液回路との間に接続され、当該血液回路を流れる血液を浄化する血液浄化手段と、該血液浄化手段を通過する患者の血液に対して除水する除水手段と、前記血液回路で体外循環する患者の血液の濃度指標を検出し得る検出手段とを具備した血液浄化装置において、前記検出手段は、前記静脈側血液回路に配設された単一のセンサから成るとともに、前記除水手段による除水速度を変化させる除水速度制御手段と、該除水速度制御手段による除水速度の変化前後において当該検出手段で検出されたそれぞれの血液の濃度指標をパラメータとした所定演算式により前記血液回路を流れる血液の流量を演算する演算手段とを備えたことを特徴とする。
【００１２】
請求項２記載の発明は、請求項１記載の血液浄化装置において、前記検出手段で検出される血液の濃度指標は、患者の血液におけるヘマトクリット値であることを特徴とする。
【００１３】
請求項３記載の発明は、請求項２記載の血液浄化装置において、前記除水手段による除水速度変化前の除水速度をＹ１及び前記検出手段で検出されるヘマトクリット値をＨｔＡ、当該除水手段による除水速度変化後の除水速度をＹ２及び前記検出手段で検出されるヘマトクリット値をＨｔＢとした場合、前記演算手段は、以下の関係式に基づき血液の流量Ｘを演算することを特徴とする。（ＨｔＡ）／１００×（Ｘ−Ｙ１）＝（ＨｔＢ）／１００×（Ｘ−Ｙ２）
【００１４】
請求項４記載の発明は、患者の血液を体外循環させるための動脈側血液回路及び静脈側血液回路から成る血液回路と、前記動脈側血液回路と静脈側血液回路との間に接続され、当該血液回路を流れる血液を浄化する血液浄化手段と、該血液浄化手段を通過する患者の血液に対して除水する除水手段と、前記血液回路で体外循環する患者の血液の濃度指標を検出し得る検出手段とを具備した血液浄化装置の血液流量演算方法において、前記検出手段は、前記静脈側血液回路に配設された単一のセンサから成るとともに、前記除水手段による除水速度を変化させ、その除水速度の変化前後において当該検出手段で検出されたそれぞれの血液の濃度指標をパラメータとした所定演算式により前記血液回路を流れる血液の流量を演算することを特徴とする。
【００１５】
請求項５記載の発明は、請求項４記載の血液浄化装置の血液流量演算方法において、前記検出手段で検出される血液の濃度指標は、患者の血液におけるヘマトクリット値であることを特徴とする。
【００１６】
請求項６記載の発明は、請求項５記載の血液浄化装置の血液流量演算方法において、前記除水手段による除水速度変化前の除水速度をＹ１及び前記検出手段で検出されるヘマトクリット値をＨｔＡ、当該除水手段による除水速度変化後の除水速度をＹ２及び前記検出手段で検出されるヘマトクリット値をＨｔＢとした場合、以下の関係式に基づき血液の流量Ｘを演算することを特徴とする。（ＨｔＡ）／１００×（Ｘ−Ｙ１）＝（ＨｔＢ）／１００×（Ｘ−Ｙ２）
【発明の効果】
【００１７】
請求項１、４の発明によれば、検出手段は静脈側血液回路に配設された単一のセンサから成るとともに、除水手段による除水速度を変化させ、その変化前後において当該検出手段で検出されたそれぞれの血液の濃度指標をパラメータとした所定演算式により血液回路を流れる血液の流量を演算するので、検出手段の固体差に関係なく、血液回路を体外循環する実血流量を短時間で且つ精度よく求めることができる。
【００１８】
請求項２、５の発明によれば、検出手段で検出される血液の濃度指標は、患者の血液におけるヘマトクリット値であるので、一般に血液回路に取り付けられることの多いヘマトクリットセンサを用いることができ、既存手段を流用することができる。
【００１９】
請求項３、６の発明によれば、（ＨｔＡ）／１００×（Ｘ−Ｙ１）＝（ＨｔＢ）／１００×（Ｘ−Ｙ２）なる関係式に基づき血液の流量Ｘを演算するので、検出手段の固体差に関係なく、より精度よく血液回路を体外循環する実血流量を求めることができる。
【発明を実施するための最良の形態】
【００２０】
以下、本発明の実施形態について図面を参照しながら具体的に説明する。
本実施形態に係る血液浄化装置は、患者の血液を体外循環させつつ浄化するためのもので、血液透析治療で使用される血液透析装置に適用されたものである。かかる血液透析装置は、図１に示すように、血液浄化手段としてのダイアライザ２が接続された血液回路１と、ダイアライザ２に透析液を供給しつつ除水する透析装置本体６とから主に構成されている。
【００２１】
血液回路１は、同図に示すように、可撓性チューブから成る動脈側血液回路１ａ及び静脈側血液回路１ｂから主に構成されており、これら動脈側血液回路１ａと静脈側血液回路１ｂの間にダイアライザ２が接続されている。動脈側血液回路１ａには、その先端に動脈側穿刺針ａが接続されているとともに、途中にしごき型の血液ポンプ３、除泡用のドリップチャンバ４ａが配設されている。一方、静脈側血液回路１ｂには、その先端に静脈側穿刺針ｂが接続されているとともに、途中に検出手段５及び除泡用のドリップチャンバ４ｂが接続されている。
【００２２】
そして、動脈側穿刺針ａ及び静脈側穿刺針ｂを患者に穿刺した状態で、血液ポンプ３を駆動させると、患者の血液は、ドリップチャンバ４ａで除泡がなされつつ動脈側血液回路１ａを通ってダイアライザ２に至り、該ダイアライザ２によって血液浄化が施され、ドリップチャンバ４ｂで除泡がなされつつ静脈側血液回路１ｂを通って患者の体内に戻る。即ち、患者の血液を血液回路１にて体外循環させつつダイアライザ２にて浄化するのである。
【００２３】
ダイアライザ２は、その筐体部に、血液導入ポート２ａ、血液導出ポート２ｂ、透析液導入ポート２ｃ及び透析液導出ポート２ｄが形成されており、このうち血液導入ポート２ａには動脈側血液回路１ａの基端が、血液導出ポート２ｂには静脈側血液回路１ｂの基端がそれぞれ接続されている。また、透析液導入ポート２ｃ及び透析液導出ポート２ｄは、透析装置本体６から延設された透析液導入ライン７及び透析液排出ライン８とそれぞれ接続されている。
【００２４】
ダイアライザ２内には、複数の中空糸が収容されており、該中空糸内部が血液の流路とされるとともに、中空糸外周面と筐体部の内周面との間が透析液の流路とされている。中空糸には、その外周面と内周面とを貫通した微少な孔（ポア）が多数形成されて中空糸膜を形成しており、該膜を介して血液中の不純物等が透析液内に透過し得るよう構成されている。
【００２５】
一方、透析装置本体６は、複式ポンプＰと、透析液排出ライン８において複式ポンプＰを迂回して接続されたバイパスライン９と、該バイパスライン９に接続された除水ポンプ１０（除水手段）と、ダイアライザ２から複式ポンプＰの排液側Ｐｂへ透析液を流動させる加圧ポンプ１１と、気泡分離チャンバ１２と、大気開放ライン１３と、電磁弁１４とから主に構成されている。
【００２６】
複式ポンプＰは、透析液導入ライン７及び透析液排出ライン８に跨って配設され、当該透析液導入ライン７からダイアライザ２（血液浄化手段）に対して透析液を導入させるとともに、当該ダイアライザ２に導入された透析液を透析液排出ライン８から排出させるためのものである。即ち、複式ポンプＰは、供給側Ｐａと排液側Ｐｂとが略等量とされた定量型のポンプから成るものであり、当該供給側Ｐａから排液側Ｐｂまでの透析液の流路は、電磁弁１４が閉じた状態で、密閉系（密閉が保たれた状態）とされている。
【００２７】
加圧ポンプ１１は、透析液排出ライン８におけるダイアライザ２と複式ポンプＰとの間に接続され、当該ダイアライザ２から複式ポンプＰへ透析液を流動させるためのものである。また、透析液導入ライン７の一端がダイアライザ２（透析液導入ポート２ｃ）に接続されるとともに、他端が所定濃度の透析液を調製する透析液供給装置（不図示）に接続されている。更に、透析液排出ライン８の一端は、ダイアライザ２（透析液導出ポート２ｄ）に接続されるとともに、他端が図示しない排液手段と接続されており、透析液供給装置から供給された透析液が透析液導入ライン７を通ってダイアライザ２に至った後、透析液排出ライン８及びバイパスライン９を通って排液手段に送られるようになっている。
【００２８】
除水ポンプ１０は、ダイアライザ２中を通過する患者の血液から水分を除去する（除水する）ためのものである。即ち、かかる除水ポンプ１０を駆動させると、複式ポンプＰが定量型であるため、透析液導入ライン７から導入される透析液量よりも透析液排出ライン８から排出される液体の容量が多くなり、その多い容量分だけ血液中から水分が除去されるのである。尚、かかる除水ポンプ１０以外の手段（例えば所謂バランシングチャンバ等を利用するもの）にて患者の血液から水分を除去するようにしてもよい。
【００２９】
気泡分離チャンバ１２は、所謂脱ガスチャンバと呼ばれるもので、透析液排出ライン８における加圧ポンプ１１と複式ポンプＰとの間に接続された所定容量のものから成り、透析液中の気泡を捕捉し得るよう構成されたものである。この気泡分離チャンバ１２からは、既述したバイパスライン９が延設されているとともに、大気開放ライン１３が延設されている。この大気開放ライン１３は、先端が大気開放とされており、その途中には電磁弁１４が接続されている。
【００３０】
電磁弁１４は、大気開放ライン１３を開放又は閉止すべく開閉可能とされたもので、開放状態で気泡分離チャンバ１２が外気と連通し、閉止状態で当該気泡分離チャンバ１２が外気と遮断するようになっている。而して、透析治療前又は透析治療後において、電磁弁１４を操作して大気開放ライン１３を開放させれば、気泡分離チャンバ１２内に捕捉された気泡を大気に放出させることができる。
【００３１】
ここで、本発明の検出手段５は、血液回路１で体外循環する患者の血液の濃度指標（ヘマトクリット値）を検出するものであり、静脈側血液回路１ｂの所定部位（ドリップチャンバ４ｂより下流側）に配設された単一のヘマトクリットセンサから成る。この検出手段５としてのヘマトクリットセンサは、例えばＬＥＤ等の発光素子及びフォトダイオード等の受光素子を備え、発光素子から血液に光を照射するとともに、その透過した光或いは反射した光を受光素子にて受光することにより、患者の血液濃度を示すヘマトクリット値を検出するものである。
【００３２】
具体的には、受光素子から出力された電気信号に基づき、血液の濃度を示すヘマトクリット値を求める。即ち、血液を構成する赤血球や血漿などの各成分は、それぞれ固有の吸光特性を持っており、この性質を利用してヘマトクリット値を測定するのに必要な赤血球を光学的に定量化することにより当該ヘマトクリット値を求めることができるのである。より具体的には、発光素子から照射された近赤外線は、血液に入射して吸収と散乱の影響を受け、受光素子にて受光される。その受光した光の強弱から光の吸収散乱率を解析し、ヘマトクリット値を算出するのである。
【００３３】
ここで、本実施形態においては、透析装置本体６内に演算手段１５及び除水速度制御手段１６が配設されている。除水速度制御手段１６は、例えば除水手段としての除水ポンプ１０と電気的に接続され、その駆動速度を制御し得るものであり、これにより、当該除水ポンプ１０による除水速度を任意に変化させることができる。本実施形態においては、除水速度は、除水速度制御手段１６により任意タイミングで、Ｙ１（ｍＬ／ｍｉｎ）とＹ２（ｍＬ／ｍｉｎ）との２段階に変化可能とされている。
【００３４】
演算手段１５は、検出手段５と電気的に接続されており、除水速度制御手段１６による除水速度の変化前後において当該検出手段５で検出されたそれぞれのヘマトクリット値（血液の濃度指標）をパラメータとした所定演算式により血液回路１を流れる血液の流量（真の血液流量である実血流量）を演算し得るものである。具体的には、図２に示すように、時間ｔＡまで除水速度Ｙ１（ｍＬ／ｍｉｎ）とし、当該時間ｔＡからｔＣまで除水速度Ｙ２（ｍＬ／ｍｉｎ）に変化させた場合、除水速度変化前後において検出手段５で検出されるヘマトクリット値は、ＨｔＡ（％）からＨｔＢ（％）に変化する。
【００３５】
然るに、除水速度変化前の単位時間あたりの赤血球体積と、除水総度変化後の単位時間あたりの赤血球体積とは同一であることから、血液回路１を流れる血液の流量（真の血液流量である実血流量）をＸとした場合、以下の関係式が成り立つ。尚、この場合、左辺が除水速度変化前の単位時間あたりの赤血球体積、右辺が除水総度変化後の単位時間あたりの赤血球体積を示している。
【００３６】
（ＨｔＡ）／１００×（Ｘ−Ｙ１）＝（ＨｔＢ）／１００×（Ｘ−Ｙ２）
【００３７】
かかる関係式に基づき血液の流量Ｘを求めるための所定演算式が得られることとなる。即ち、上記関係式のパラメータのうち、ＨｔＡ、ＨｔＢ、Ｙ１、Ｙ２は、何れも既知であるため、未知数Ｘを求めるための演算式にて血液の流量（真の血液流量である実血流量）を演算することができるのである。よって、本実施形態によれば、除水ポンプ１０による除水速度を変化させ、その除水速度の変化前後において検出手段５で検出されたそれぞれのヘマトクリット値をパラメータとした所定演算式により血液回路１を流れる血液の流量（真の血液流量である実血流量）を演算することができるので、血液ポンプ３の吐出量と回転数との関係により実血流量を求めるもの、或いは２重の実験的関係等から実血流量を導き出すもの等に比べ、当該実血流量をより精度よく且つ容易に求めることができる。
【００３８】
加えて、本実施形態によれば、検出手段５は静脈側血液回路１ｂに配設された単一のヘマトクリットセンサから成るとともに、除水ポンプ１０による除水速度を変化させ、その変化前後において当該検出手段５で検出されたそれぞれのヘマトクリット値をパラメータとした所定演算式により血液回路１を流れる血液の流量を演算するので、従来の如くヘマトクリットセンサをダイアライザの上流側及び下流側の両方に配設させ、これらヘマトクリットセンサにて検出されたそれぞれのヘマトクリット値に基づき血液回路１を流れる血液の流量（真の血液流量である実血流量）を演算するものに比べ、検出手段５の固体差に関係なく、血液回路１を体外循環する実血流量を短時間で且つ精度よく求めることができる。
【００３９】
また、検出手段５で検出される血液の濃度指標は、患者の血液におけるヘマトクリット値であるので、一般に血液回路１に取り付けられることの多いヘマトクリットセンサを用いることができ、既存手段を流用することができる。即ち、従来よりかかるヘマトクリットセンサにて治療中の循環血液量変化率（ΔＢＶ）をリアルタイムで算出していたので、このヘマトクリットセンサを流用して血液回路１を体外循環する実血流量を求めるためのパラメータ（ヘマトクリット値）を得ることができるのである。更に、本実施形態によれば、（ＨｔＡ）／１００×（Ｘ−Ｙ１）＝（ＨｔＢ）／１００×（Ｘ−Ｙ２）なる関係式に基づき血液の流量Ｘ（真の血液流量である実血流量）を演算するので、検出手段５の固体差に関係なく、より精度よく血液回路を体外循環する実血流量を求めることができる。
【００４０】
以上、本発明に係る本実施形態について説明したが、本発明はこれに限定されるものではなく、例えば検出手段５がヘマトクリットセンサとは異なるものとされ、血液回路１で体外循環する患者の他の血液の濃度指標を検出し得るものとしてもよい。他の血液の濃度指標として、血液中のヘモグロビン濃度等が挙げられる。但し、その場合であっても、検出手段は、静脈側血液回路１ｂに配設された単一のセンサから成るとともに、除水ポンプ１０（除水手段）による除水速度を変化させ、その除水速度の変化前後において当該検出手段で検出されたそれぞれの血液の濃度指標をパラメータとした所定演算式により血液回路１を流れる血液の流量を演算するものとされる。
【００４１】
尚、本実施形態においては、透析装置本体６が透析液供給機構を内蔵しない透析監視装置から成るものであるが、透析液供給機構が内蔵された個人用透析装置に適用するようにしてもよい。更に、体外循環させつつ血液浄化を行う他の治療（血液濾過療法や血液濾過透析療法など）で使用されるもの或いは他の機能が付加されたものにも適用することができる。
【産業上の利用可能性】
【００４２】
検出手段は、静脈側血液回路に配設された単一のセンサから成るとともに、除水手段による除水速度を変化させ、その除水速度の変化前後において当該検出手段で検出されたそれぞれの血液の濃度指標をパラメータとした所定演算式により血液回路を流れる血液の流量を演算する血液浄化装置及びその血液流量演算方法であれば、外観形状が異なるもの或いは他の機能が付加されたもの等にも適用することができる。
【図面の簡単な説明】
【００４３】
【図１】本発明の実施形態に係る血液浄化装置を示す全体模式図
【図２】同血液浄化装置における検出手段で検出されるヘマトクリット値の変化を示すグラフ
【符号の説明】
【００４４】
１            血液回路
１ａ          動脈側血液回路
１ｂ          静脈側血液回路
２            ダイアライザ（血液浄化手段）
３            血液ポンプ
４ａ、４ｂ    ドリップチャンバ
５            検出手段（ヘマトクリットセンサ）
６            透析装置本体
７            透析液導入ライン
８            透析系排出ライン
９            バイパスライン
１０          除水ポンプ（除水手段）
１１          加圧ポンプ
１２          気泡分離チャンバ
１３          大気開放ライン
１４          電磁弁
１５          演算手段
１６          除水速度制御手段
Ｐ            複式ポンプ
【図１】
2010131146.tif 000003
【図２】
2010131146.tif 000004